(57)【要約】【課題】防災無線放送およびＡＭ／ＦＭ放送を受信可能で、電源がオフであっても、ＡＭ／ＦＭ放送の緊急地震速報を自動的に聴取可能にする防災受信機を提供する。【解決手段】防災受信機（１０）は、防災無線信号と放送信号とを受信する受信部と、放送信号が含む周波数成分の中から、予め選択された所定周波数の放送信号を抽出する抽出部（１４）と、所定周波数の放送信号を基に、緊急速報の開始を報知するための報知音声信号を検出し、検出信号（Ｓ４）を出力する検出部（１５）と、防災無線信号または放送信号を音声信号として出力する出力部（１８，１９）と、検出信号を受信し、かつ、出力部が非出力状態である場合には、少なくとも放送信号を音声信号として出力可能な状態に出力部を起動させる起動部（１７）とを有する。検出部は、所定周波数の放送信号の波形が、判定基準を満たす場合に、放送信号が報知音声信号であると判定して、検出信号を出力する。【選択図】図２
2010263315.tif 000002
【特許請求の範囲】
【請求項１】
防災無線信号と放送信号とを受信する受信部と、
上記受信部が受信している上記放送信号が含む周波数成分の中から、予め選択された所定周波数の放送信号を抽出する抽出部と、
上記抽出部によって抽出された上記所定周波数の放送信号を基に、緊急速報の開始を報知するための報知音声信号を検出し、検出信号を出力する検出部と、
上記防災無線信号および上記放送信号のうち、いずれか一方を音声信号として出力する出力部と、
上記検出部が出力した上記検出信号を受信し、かつ、上記出力部が非出力状態である場合には、少なくとも上記放送信号を上記音声信号として出力可能な状態に上記出力部を起動させる起動部と
を有し、
上記検出部は、
上記所定周波数の放送信号の波形が、当該所定周波数の放送信号の波形が上記報知音声信号の波形であることを示す判定基準を満たす場合に、上記放送信号が上記報知音声信号であると判定して、上記検出信号を出力する
防災受信機。
【請求項２】
上記判定基準は、
上記所定周波数の放送信号レベルに関する第１の判定基準と、
上記所定周波数の放送信号の周期に関する第２の判定基準と
を含み、
上記検出部は、
上記放送信号レベルと上記周期とを、上記第１の判定基準と上記第２の判定基準と各々比較し、上記放送信号レベルと上記周期とが上記第１の判定基準と上記第２の判定基準とを各々満たす場合に、上記放送信号が上記報知音声信号であると判定する
請求項１記載の防災受信機。
【請求項３】
上記判定基準は、
上記所定周波数の放送信号レベルに関する第１の判定基準と、
上記所定周波数の放送信号の第１の波高値と、当該第１の波高値に連続した第２の波高値との時間幅に関する第２の判定基準と
を含み、
上記検出部は、
上記所定周波数における、上記放送信号レベルと、上記第１の波高値と、上記第２の波高値と、上記時間幅とを取得する取得部と、
上記取得部によって取得された、上記第１の波高値を上記第１の判定基準の第１の閾値と比較し、上記第１の波高値から所定時間経過後の上記放送信号レベルを上記第１の判定基準の第２の閾値と比較し、かつ、上記時間幅と上記第２の判定基準の時間幅との差分を許容値と比較する比較部と、
上記比較部による比較の結果、上記第１の波高値が上記第１の閾値以上であり、上記所定時間経過後の上記放送信号レベルが上記第２の閾値以下であり、かつ、上記差分が上記許容値以下である場合に、上記放送信号が上記報知音声信号であると判定する判定部と
を有する
請求項１または２記載の防災受信機。
【請求項４】
上記検出部は、
上記放送信号をデジタル放送信号に変換する変換部と、
上記変換部によって変換された上記デジタル放送信号に対して、上記所定周波数のデジタル放送信号を抽出する第２の抽出部と
を有し、
上記第２の抽出部によって抽出された上記所定周波数のデジタル放送信号を基に、上記報知音声信号を検出する
請求項１から３のいずれか一に記載の防災受信機。
【請求項５】
上記放送信号を格納する記憶部を有し、
上記出力部は、
上記検出部によって上記報知音声信号が検出された場合に、上記記憶部に格納された上記放送信号を上記音声信号として出力する
請求項１から４のいずれか一に記載の防災受信機。
【請求項６】
上記出力部は、
上記検出部によって上記報知音声信号が誤検出された場合に、上記音声信号の出力レベルを変化させる
請求項１から５のいずれか一に記載の防災受信機。
【発明の詳細な説明】
【技術分野】
【０００１】
本発明は、防災無線放送と緊急地震速報とを受信可能な防災受信機に関するものである。
【背景技術】
【０００２】
例えば、市町村等の地域においては、地震、火災、水害等の災害発生時に、その旨の緊急通報等が防災無線放送を用いて行われている。そのような防災無線放送では、一般行政事務に関する情報等も放送されることが多い。
なお、防災無線放送とは、市町村等の行政機関等が、上述の緊急通報、一般行政事務に関する情報等を行政機関の区域内に居住する住民に報知する無線をいう。
【０００３】
緊急時には、親局から各種情報が送信され、地域内に配置された屋外拡声受信装置は受信した情報をスピーカを通じて拡声し、屋外拡声受信装置の設置された一帯の住民に報知する。
親局から送信された各種情報は、受信機等によっても受信可能で、受信機を通じて各世帯の住民に緊急情報が報知される。
【０００４】
例えば、特許文献１が開示する防災無線放送受信機では、防災無線放送の他に、ＡＭ／ＦＭ放送を受信することができる。この受信機には、その電源がオフであっても、防災無線放送が放送された際に、この放送を自動的に受信して、防災無線放送を自動的に聴取可能にする機能が搭載されている。
【０００５】
ところで、近年では、地震発生直後に震源地で発生したＰ波（縦波）を捉え、大きな揺れを引き起こすＳ波（横波）が居住区域に到達する数十秒前に、その旨を緊急地震速報として報知することが可能となっている。
なお、緊急地震速報は、例えば、震源地、地震の発生時刻、警戒すべき地域、予測される震度、マグニチュードに関する情報であり、気象庁によって発表される。
【０００６】
例えば、日本放送協会（以下、ＮＨＫと略す）は、地震が発生した場合には、気象庁が発表した緊急地震速報をテレビジョン放送とラジオ放送（例えば、ＦＭ放送）とで速報する（非特許文献１参照）。
テレビジョン放送では、緊急地震速報の開始を報知するチャイム音が鳴った後、文字や図を用いた緊急地震速報がテレビジョン受像機の画面上に表示される。
一方、ラジオ放送では、ニュースや音楽等の番組が中断され、上述のチャイム音が鳴った後、テレビジョン放送と同様の内容の緊急地震速報が音声で速報される。
【０００７】
例えば、特許文献２が開示する緊急地震速報端末では、上述した緊急地震速報を検出し、これを報知することができる。
【０００８】
なお、民放各放送局も、ＮＨＫと同様に緊急地震速報の運用を開始している。ただし、放送局によっては、チャイム音およびその名称がＮＨＫのものと異なる場合がある。
消防庁も、全国瞬時警戒システム（Ｊ−ＡＬＥＲＴ）を用いた防災無線放送による緊急地震速報の運用を開始している。
【先行技術文献】
【特許文献】
【０００９】
【特許文献１】特開２００７−４３６４１号公報
【特許文献２】特開２００６−１４５２３４号公報
【非特許文献】
【００１０】
【非特許文献１】ＮＨＫ、"揺れる前に知らせる「緊急地震速報」"、[online]、[２００９年４月１３日検索]、＜ＵＲＬ：http://www.nhk.or.jp/bousai/index.html＞
【発明の概要】
【発明が解決しようとする課題】
【００１１】
特許文献１が開示する防災無線放送受信機には、ＡＭ／ＦＭ放送と防災無線放送とを受信可能な手段が搭載されているが、その電源がオフであっても、この受信機が自動的にＡＭ／ＦＭ放送を受信して、ＡＭ／ＦＭ放送の緊急地震速報を聴取可能にする手段は設けられていない。
【００１２】
特許文献２が開示する緊急地震速報端末には、ＡＭ／ＦＭ放送を受信可能な手段が搭載されているが、防災無線放送を聴取できる手段は搭載されていない。更に、この緊急地震速報端末では、その使用目的が緊急地震速報の取得に限定されてしまう。
【００１３】
上述したように、市町村等の行政機関によっては、全国瞬時警戒システムを用いた緊急地震速報が行われるが、このシステムは、全ての行政機関に導入されている訳ではなく、防災無線放送は受信可能な地域が限定される。
また、２００９年現在、この全国瞬時警戒システムは、その開発が進行中であり、このシステムによる緊急地震速報がＡＭ／ＦＭ放送による速報よりも遅れる場合がある。
【００１４】
このような観点からも、緊急地震速報に関しては、ラジオ放送局による速報の方が利点が多く、電源がオフであっても、ＡＭ／ＦＭ放送の緊急地震速報を自動的に聴取可能にする受信機の開発が望まれている。
【００１５】
本発明は、防災無線放送およびＡＭ／ＦＭ放送を受信可能で、電源がオフであっても、ＡＭ／ＦＭ放送の緊急地震速報を自動的に聴取可能にする防災受信機を提供することにある。
【課題を解決するための手段】
【００１６】
本発明の防災受信機は、防災無線信号と放送信号とを受信する受信部と、上記受信部が受信している上記放送信号が含む周波数成分の中から、予め選択された所定周波数の放送信号を抽出する抽出部と、上記抽出部によって抽出された上記所定周波数の放送信号を基に、緊急速報の開始を報知するための報知音声信号を検出し、検出信号を出力する検出部と、上記防災無線信号および上記放送信号のうち、いずれか一方を音声信号として出力する出力部と、上記検出部が出力した上記検出信号を受信し、かつ、上記出力部が非出力状態である場合には、少なくとも上記放送信号を上記音声信号として出力可能な状態に上記出力部を起動させる起動部とを有し、上記検出部は、上記所定周波数の放送信号の波形が、当該所定周波数の放送信号の波形が上記報知音声信号の波形であることを示す判定基準を満たす場合に、上記放送信号が上記報知音声信号であると判定して、上記検出信号を出力する。
【００１７】
好適には、上記判定基準は、上記所定周波数の放送信号レベルに関する第１の判定基準と、上記所定周波数の放送信号の周期に関する第２の判定基準とを含み、上記検出部は、上記放送信号レベルと上記周期とを、上記第１の判定基準と上記第２の判定基準と各々比較し、上記放送信号レベルと上記周期とが上記第１の判定基準と上記第２の判定基準とを各々満たす場合に、上記放送信号が上記報知音声信号であると判定する。
【００１８】
好適には、上記判定基準は、上記所定周波数の放送信号レベルに関する第１の判定基準と、上記所定周波数の放送信号の第１の波高値と、当該第１の波高値に連続した第２の波高値との時間幅に関する第２の判定基準とを含み、上記検出部は、上記所定周波数における、上記放送信号レベルと、上記第１の波高値と、上記第２の波高値と、上記時間幅とを取得する取得部と、上記取得部によって取得された、上記第１の波高値を上記第１の判定基準の第１の閾値と比較し、上記第１の波高値から所定時間経過後の上記放送信号レベルを上記第１の判定基準の第２の閾値と比較し、かつ、上記時間幅と上記第２の判定基準の時間幅との差分を許容値と比較する比較部と、上記比較部による比較の結果、上記第１の波高値が上記第１の閾値以上であり、上記所定時間経過後の上記放送信号レベルが上記第２の閾値以下であり、かつ、上記差分が上記許容値以下である場合に、上記放送信号が上記報知音声信号であると判定する判定部とを有する。
【００１９】
好適には、上記検出部は、上記放送信号をデジタル放送信号に変換する変換部と、上記変換部によって変換された上記デジタル放送信号に対して、上記所定周波数のデジタル放送信号を抽出する第２の抽出部とを有し、上記第２の抽出部によって抽出された上記所定周波数のデジタル放送信号を基に、上記報知音声信号を検出する。
【００２０】
好適には、上記防災受信機は、上記放送信号を格納する記憶部を有し、上記出力部は、上記検出部によって上記報知音声信号が検出された場合に、上記記憶部に格納された上記放送信号を上記音声信号として出力する。
【００２１】
好適には、上記出力部は、上記検出部によって上記報知音声信号が誤検出された場合に、上記音声信号の出力レベルを変化させる。
【発明の効果】
【００２２】
本発明によれば、防災無線放送およびＡＭ／ＦＭ放送を受信可能で、電源がオフであっても、ＡＭ／ＦＭ放送の緊急地震速報を自動的に聴取することができる。
【図面の簡単な説明】
【００２３】
【図１】図１は、本発明の第１実施形態に係る防災受信機の概要について説明するための図である。
【図２】図２は、本発明の第１実施形態に係る防災受信機の主要部の構成例を示すブロック図である。
【図３】図３は、チャイム音の波形を示す一例の図である。
【図４】図４は、チャイム音のスペクトル成分の一例を示す図である。
【図５】図５は、本発明の第１実施形態に係るフィルタの出力例を示す図である。
【図６】図６は、本発明の第１実施形態に係るマイクロコンピュータの構成例を示すブロック図である。
【図７】図７は、本発明の第１実施形態に係るデジタルフィルタの出力例を示す図である。
【図８】図８は、本発明の第１実施形態に係る判定基準を説明するための図である。
【図９】図９は、本発明の第１実施形態に係る防災受信機の動作例を示すフローチャートである。
【図１０】図１０は、本発明の第２実施形態に係る防災受信機の構成例を示すブロック図である。
【発明を実施するための形態】
【００２４】
以下、本発明の実施形態を図面に関連付けて説明する。
【００２５】
（第１実施形態）
［防災受信機の概要］
本実施形態に係る防災受信機の概要を図１に関連づけて説明する。
図１は、本発明の第１実施形態に係る防災受信機の概要について説明するための図である。
【００２６】
図１に図示するように、防災受信機１０は、各家庭２１に設けられている。無論、各個人が所有していてもよい。
本実施形態の特徴として、防災受信機１０は、ラジオ放送局２２が送信するＡＭ／ＦＭ放送を受信する機能（ＡＭ／ＦＭ受信モード）と、親局２３が送信する防災無線放送を受信する機能（防災無線受信モード）とを有する。
【００２７】
ここで、本発明の構成要素と本実施形態の構成要素との対応関係について述べる。
本発明の放送信号は、ＡＭ／ＦＭ信号に対応する。本発明の緊急速報は、緊急地震速報に対応する。本発明の報知音声は、チャイム音に対応する。
【００２８】
例えば、ＡＭ／ＦＭ放送の受信中に、地震が発生した場合には、防災受信機１０の電源がオン（単に、電源がオンともいう）であれば、ラジオ放送局２２が送信する緊急地震速報を聴取することができる。
しかしながら、一般的なラジオ等の受信機では、その電源がオフであれば、手動で電源をオンに切り替えるまで、この緊急地震速報を聴取することができない。
そこで、防災受信機１０は、電源がオフであっても、ラジオ放送局２２による緊急地震速報が放送された場合には、自動的に音声の出力系統を起動して、この緊急地震速報を聴取することができる待ち受けモードを有する。
【００２９】
この他、防災受信機１０は、後述するスケルチ機能を利用し、防災無線放送を受信した場合には、電源がオフであっても、自動的に音声の出力系統を起動して、防災無線放送を聴取することができるスケルチモードを有する。
【００３０】
このように、防災受信機１０には、待ち受けモードとスケルチモードとが搭載されているため、電源がオフであっても、緊急地震速報および防災無線放送を逃すことなく聴取することができる。
なお、緊急地震速報は、ラジオ放送局２２が放送するものであり、防災無線放送は、親局２３が放送するものであり、それらの放送システムは互いに異なるが、両者による放送が同時に行われる場合がある。
このような場合のために、待ち受けモードおよびスケルチモードのうち、いずれのモードを優先させて実行するかということを予め選択しておくことが望ましい。
この選択は、例えば、ユーザが行ってもよいし、ＡＭ／ＦＭ信号および防災無線信号のうち、いち早く受信した方の信号に基づいて行ってもよい。
以下の説明では、この場合、待ち受けモードがスケルチモードよりも優先されるものとする。
【００３１】
ラジオ放送局２２は、ニュースや音楽等の番組をＡＭ／ＦＭ波で送信する。このラジオ放送局２２は、地震の発生時には、放送中の番組を中断し、チャイム音を鳴らした後、例えば、「緊急地震速報です。強い揺れに警戒してください。…」という、緊急地震速報を行う。
【００３２】
チャイム音は、緊急地震速報の開始を報知するためのものである。前述したように、チャイム音は、その名称やメロディーがラジオ放送局ごとに異なる場合があるが、本実施形態では、ＮＨＫが採用しているチャイム音を例に挙げて説明する。
【００３３】
親局２３は、防災行政無線システムの一部を構成する。親局２３は、例えば、市町村の役場に設置され、災害の発生時には、緊急放送を防災無線信号で送信する。このとき、市町村の地域別に設置された屋外拡声受信装置２４は、防災無線信号を受信し、緊急放送を音声で出力する。
【００３４】
居住地域の親局２３によっては、ラジオ放送局２２と同様に、防災無線放送を用いた緊急地震速報が行われるが、本実施形態では、説明を明確にするために、ラジオ放送局２２のみが緊急地震速報を行うものとする。
【００３５】
この他、親局２３は、例えば、行政事務に関する情報を、朝と夕方等、決められた時間に防災無線信号で送信する。
親局２３が送信する防災無線信号は、例えば、極狭い周波数帯域のＦＭ波である。その周波数帯は、例えば、６８ＭＨｚ〜７０ＭＨｚであり、ＦＭ放送の一部の周波数帯域の近傍の周波数帯である。
【００３６】
［防災受信機１０の構成例］
次に、防災受信機１０の構成例を図２に関連づけて説明する。
図２は、本発明の第１実施形態に係る防災受信機の主要部の構成例を示すブロック図である。
【００３７】
図２に図示するように、防災受信機１０は、アンテナ１１、ＡＭ／ＦＭ受信回路１２、防災無線受信回路１３、フィルタ１４、マイクロコンピュータ１５、切替スイッチ１６、出力アンプ（増幅回路）制御回路１７、出力アンプ１８、およびスピーカ１９を有する。
【００３８】
ここで、本発明の構成要素と本実施形態の構成要素との対応関係について述べる。
本発明の受信部は、ＡＭ／ＦＭ受信回路１２および防災無線受信回路１３に対応する。
本発明の抽出部は、フィルタ１４に対応する。
本発明の検出部は、マイクロコンピュータ１５に対応する。
本発明の起動部は、出力アンプ制御回路１７に対応する。
本発明の出力部は、出力アンプ１８およびスピーカ１９に対応する。
【００３９】
アンテナ１１は、ラジオ放送局２２からＡＭ／ＦＭ放送を受信するだけではなく、親局２３からも防災無線放送を受信する。
上述したように、防災無線信号は、ＦＭ波の周波数帯域の信号であるため、アンテナ１１は、ＡＭ／ＦＭ受信回路１２と、防災無線受信回路１３とで共用されている。
【００４０】
ＡＭ／ＦＭ受信回路１２は、例えば、ＡＭ／ＦＭ放送を受信可能な、いわゆるＰＬＬ（Phase-locked loop；位相同期回路）方式の受信回路である。
ＡＭ／ＦＭ受信回路１２は、マイクロコンピュータ１５から入力された制御信号Ｓ５に従って、ユーザの指示した周波数に同調する。
【００４１】
ただし、電源がオフの場合には、ＡＭ／ＦＭ受信回路１２は、チャイム音が放送されるラジオ放送局２２の放送周波数に同調する。本実施形態では、この放送周波数は、例えば、ＮＨＫのラジオ放送を受信可能な周波数である。
【００４２】
ＡＭ／ＦＭ受信回路１２は、アンテナ１１から高周波のＡＭ／ＦＭ信号が入力されると、これを復調し、復調した低周波のＡＭ／ＦＭ信号Ｓ１をフィルタ１４と、切替スイッチ１６とに各々出力する。
【００４３】
防災無線受信回路１３は、スケルチ回路１３１を有する。防災無線受信回路１３は、例えば、親局２３からの防災無線信号の周波数帯域のＦＭ波のみを受信可能に設定されている。
防災無線受信回路１３は、アンテナ１１から高周波の防災無線信号が入力されると、これを復調し、復調した低周波の防災無線信号Ｓ２を切替スイッチ１６に出力する。
【００４４】
なお、ＡＭ／ＦＭ受信回路１２、防災無線受信回路１３、マイクロコンピュータ１５、および出力アンプ制御回路１７には、電源がオフであっても、電力が各々供給されている。
【００４５】
スケルチ回路１３１は、スケルチモードを実行するため、ＦＭ波を基に、防災無線信号を受信したか否かを判別する。この判別の際に、スケルチ回路１３１は、防災無線受信回路１３の出力信号に含まれる雑音の大きさが予め設定された値より大きいか小さいかを比較する。
【００４６】
なお、スケルチとは、ＦＭ受信機において、選局時に局間に発生するノイズを低減もしくは削減するために、同調時と非同調時とのＳＮ比の差を検知して、スピーカ１９を通じた防災無線信号の出力をオンまたはオフさせる機能のことをいう。
具体的には、ＳＮ比が規定値より小さいとき、ノイズが多いものとして、防災無線信号の出力がオフとなり、ＳＮ比が規定値より大きいとき、ノイズが少ないものとして、スピーカ１９を通じた防災無線信号の出力がオンとなる。
【００４７】
スケルチ回路１３１は、雑音の方が大きい場合には、防災無線信号を受信していない（検知していない）ものと認識する。
一方、スケルチ回路１３１は、雑音の方が小さい場合には、防災無線信号を受信した（検知した）ものと認識する。そして、スケルチ回路１３１は、スケルチ信号Ｓ３をマイクロコンピュータ１５に出力する。
このスケルチ信号Ｓ３は、切替スイッチ１６の出力を防災無線信号Ｓ２に切り替えるための信号である。
【００４８】
スケルチモードでは、電源がオフの場合、スケルチ回路１３１によって防災無線信号が検知されると、出力アンプ１８が出力アンプ制御回路１７によって起動され、出力アンプ１８によって増幅された防災無線信号Ｓ２が音声信号Ｓ８としてスピーカ１９を通じて出力される。
【００４９】
フィルタ１４は、所定周波数の信号のみを通過させるバンドパスフィルタで構成されている。フィルタ１４は、ＡＭ／ＦＭ受信回路１２からＡＭ／ＦＭ信号Ｓ１が入力されると、この信号から所定周波数成分のＡＭ／ＦＭ信号Ｓ１４を抽出し、これをマイクロコンピュータ１５に出力する。
【００５０】
詳細については後述するが、このフィルタ１４は、マイクロコンピュータ１５にて行われるチャイム音の検出を容易にするために設けられている。
フィルタ１４の抽出周波数は、チャイム音に含まれる周波数から好適に選択することができる。本実施形態では、抽出周波数は、チャイム音の振幅が最大のときの周波数、例えば、６５９Ｈｚに設定されている。
【００５１】
先に述べたように、緊急地震速報はチャイム音の後に放送されるため、チャイム音を検出することができれば、その後に緊急地震速報が放送されることを把握することができる。
そこで、マイクロコンピュータ１５は、フィルタ１４からＡＭ／ＦＭ信号Ｓ１４が入力されると、これを基にチャイム音をリアルタイムで検出する（検出処理）。
マイクロコンピュータ１５は、チャイム音を検出した場合には、その旨を示す検出信号Ｓ４を出力アンプ制御回路１７に出力する。
【００５２】
更に、マイクロコンピュータ１５は、スケルチ回路１３１からスケルチ信号Ｓ３が入力された場合にも、その旨を示す検出信号Ｓ４を出力アンプ制御回路１７に出力する。
マイクロコンピュータ１５は、ＡＭ／ＦＭ受信回路１２の受信周波数を制御するための制御信号Ｓ５をＡＭ／ＦＭ受信回路１２に出力する。
【００５３】
この他、マイクロコンピュータ１５は、切替スイッチ１６の出力をＡＭ／ＦＭ信号Ｓ１または防災無線信号Ｓ２に切り替えるためのスイッチ制御信号Ｓ６を切替スイッチ１６に出力する。
例えば、マイクロコンピュータ１５は、チャイム音を検出した場合、スイッチ制御信号Ｓ６を出力し、切替スイッチ１６の出力をＡＭ／ＦＭ信号Ｓ１に切り替える。
一方、マイクロコンピュータ１５は、スケルチ回路１３１にて防災無線信号が検出され、スケルチ信号Ｓ３が入力された場合、スイッチ制御信号Ｓ６を出力し、切替スイッチ１６の出力を防災無線信号Ｓ２に切り替える。
【００５４】
切替スイッチ１６には、ＡＭ／ＦＭ受信回路１２からＡＭ／ＦＭ信号Ｓ１が入力され、防災無線受信回路１３から防災無線信号Ｓ２が入力される。
切替スイッチ１６は、マイクロコンピュータ１５から入力されたスイッチ制御信号Ｓ６に基づいて、ＡＭ／ＦＭ信号Ｓ１または防災無線信号Ｓ２を出力アンプ１８に出力する。
【００５５】
具体的には、待ち受けモードにて、チャイム音が検出された場合には、切替スイッチ１６は、ＡＭ／ＦＭ信号Ｓ１を出力アンプ１８に出力する。
一方、スケルチモードにて、防災無線信号が検出された場合には、切替スイッチ１６は、防災無線信号Ｓ２を出力アンプ１８に出力する。
【００５６】
基本的には、切替スイッチ１６は、スイッチ制御信号Ｓ６に基づいて、出力の切り替えを行うが、スイッチ制御信号Ｓ６に依らず、手動でこの出力の切り替えができるようにしてもよい。
例えば、電源がオンであり、ユーザによって、ＡＭ／ＦＭ受信モードが選択された場合には、切替スイッチ１６にＡＭ／ＦＭ信号Ｓ１を出力させ、防災無線受信モードが選択された場合には、切替スイッチ１６に防災無線信号Ｓ２を出力させることができる。
【００５７】
出力アンプ制御回路１７は、出力アンプ１８をオン（通電状態）またはオフ（非通電状態）に制御する機能を有する。
出力アンプ１８がオフの場合、出力アンプ制御回路１７は、マイクロコンピュータ１５から検出信号Ｓ４が入力されると、起動信号Ｓ７を出力アンプ１８に出力し、出力アンプ１８をオフからオンに切り替え、起動させる。
逆に、出力アンプ１８がオンの場合、出力アンプ制御回路１７は、マイクロコンピュータ１５の指示に従って、出力アンプ１８をオンからオフに切り替えることもできる。
【００５８】
出力アンプ１８は、例えば、音声周波数帯域の特性をもつ低周波増幅回路で構成されている。出力アンプ１８は、切替スイッチ１６から入力されたＡＭ／ＦＭ信号Ｓ１または防災無線信号Ｓ２を増幅し、増幅した信号を音声信号Ｓ８としてスピーカ１９に出力する。
【００５９】
出力アンプ１８は、防災受信機１０の電源がオフの場合に、出力アンプ制御回路１７から起動信号Ｓ７が入力されると起動する。
この場合、出力アンプ１８は、事前に設定されている出力音声レベルに拘わらず、切替スイッチ１６から入力された信号の音声レベル（音量）を最大音声レベルの半分程度に増幅する。
【００６０】
スピーカ１９は、出力アンプ１８によって調整された音声レベルの音声信号Ｓ８を出力する。
【００６１】
［検出処理の概要］
以下、待ち受けモードにおけるチャイム音の検出処理について説明する。
先ず、チャイム音を図３に関連づけて説明する。
図３は、チャイム音の波形を示す一例の図である。図３において、横軸は時間を示し、縦軸はチャイム音の振幅（例えば電圧）を示す。
【００６２】
図３に図示するように、チャイム音は、略同一の音ａ、ｂがおよそ１５００ｍｓで２回繰り返され、引き続いて本放送が緊急地震速報である旨のアナウンスが行われた後、略同一の音ｃ、ｄがおよそ１５００ｍｓで２回繰り返される。ただし、図３には、チャイム音の波形のみが図示されている。
以下の説明では、各音ａ〜ｄを第１のチャイム音ａ、第２のチャイム音ｂ、第３のチャイム音ｃ、第４のチャイム音ｄともいう。
第４のチャイム音ｄが終了した後、緊急地震速報が行われる。
【００６３】
緊急地震速報であれば、緊急地震速報用のチャイム音が使用される。したがって、ＡＭ／ＦＭ受信回路１２にて受信されたＡＭ／ＦＭ信号Ｓ１の波形がチャイム音の波形に一致すれば、このＡＭ／ＦＭ信号Ｓ１がチャイム音の信号であるものと判定することができる。
【００６４】
しかしながら、現実的には、両者の信号波形が完全に一致することは極めて稀であるばかりか、両者の信号波形そのものをリアルタイムで比較しようとすると、膨大な量の信号処理を強いられることとなる。
【００６５】
そこで、本実施形態では、第１〜第４のチャイム音ａ〜ｄが含む周波数のうち、所定の周波数に着目し、この周波数におけるＡＭ／ＦＭ信号Ｓ１の波形がチャイム音の波形と一致するか否かが判定される。
【００６６】
第１および第２のチャイム音ａ、ｂがおよそ１５００ｍｓで２回繰り返され、本放送が緊急地震速報である旨の放送後、第３および第４のチャイム音ｃ、ｄがおよそ１５００ｍｓで２回繰り返されるが、各々の音は略同一であるため、全てのチャイム音を検出する必要はない。全てのチャイム音を検出しようとすれば、その処理に時間を要し、第２のチャイム音ｂを検出するまで、このチャイム音の終了後から第３のチャイム音ｃの開始前に行われる上述のアナウンスをスピーカ１９を通じて出力することができない。
【００６７】
以上の観点により、最初の第１のチャイム音ａを検出することができれば、実用的には、必要かつ十分である。
そこで、検出処理では、所定周波数におけるＡＭ／ＦＭ信号Ｓ１の波形が第１のチャイム音ａの波形であるか否かの判定が行われる。
この判定の際には、両者の波形が一致するか否かを直接比較するのではなく、ＡＭ／ＦＭ信号Ｓ１の波形が判定基準を満たすか否かが判定される。その波形が判定基準を満たす場合に、このＡＭ／ＦＭ信号Ｓ１がチャイム音であるものと判定される。この判定基準については後述する。
【００６８】
所定周波数は、以下のようにして選択することができる。ここで、図３に図示したチャイム音のスペクトル成分の一例を図４に示す。図４において、横軸は周波数を示し、縦軸は信号レベル（例えば、電圧）を示す。
【００６９】
図４に図示するように、チャイム音は、１１ｋＨｚ程度までの周波数成分で構成されている。この周波数の中から一の周波数を選択すればよいが、選択すべき周波数は、チャイム音の波形を明確に把握できる周波数であることが望ましい。
なお、この選択は、ユーザによるものではなく、防災受信機１０の設計段階で行われる。
【００７０】
即ち、図４に図示する信号レベルが他と比べて大きい周波数であることが望ましい。図４に図示するスペクトルの場合、信号レベルが他と比べて比較的大きい周波数は、例えば、３９１Ｈｚ、４１５Ｈｚ、５２３Ｈｚ、５５４Ｈｚ、６５４Ｈｚ、６５９Ｈｚ、６９８Ｈｚである。この中から、一の周波数を選択すればよい。
より望ましくは、判定基準を用いた判定が容易となるように、最も信号レベルの振幅が大きいものがよい。
このため、本実施形態では、最も信号レベルの振幅が大きい、６５９Ｈｚの周波数が選択される。例示した周波数の倍音から、一の周波数を選択してもよい。
【００７１】
図５は、本発明の第１実施形態に係るフィルタの出力例を示す図である。図５には、フィルタ１４によって抽出された第１〜第３のチャイム音ａ〜ｃが例示されている。
図５において、横軸は時間を示し、縦軸は信号レベルを示す。なお、符号「ａ」〜「ｃ」は、第１〜第３のチャイム音ａ〜ｃに各々対応する。
【００７２】
図５に図示するように、フィルタ１４は、チャイム音に相当するＡＭ／ＦＭ信号Ｓ１が入力されると、６５９Ｈｚ成分のＡＭ／ＦＭ信号Ｓ１４を抽出する。
実際には、フィルタ１４は、６５９Ｈｚ±３０Ｈｚ成分のＡＭ／ＦＭ信号Ｓ１４を抽出する。
各波高値間の時間幅は、図３に図示するチャイム音の周期に等しく、およそ１５００ｍｓである。
【００７３】
［マイクロコンピュータ１５の構成例］
次に、検出処理を行うマイクロコンピュータ１５の構成例を図６に関連づけて説明する。
図６は、本発明の第１実施形態に係るマイクロコンピュータの構成例を示すブロック図である。
【００７４】
図６に図示するように、マイクロコンピュータ１５は、Ａ／Ｄ変換部１５１、デジタルフィルタ１５２、取得部１５３、比較判定部１５４、検出信号出力部１５５、および切替スイッチ制御部１５６を有する。
【００７５】
ここで、本発明の構成要素と本実施形態の構成要素との対応関係について述べる。
本発明の比較部および判定部は、比較判定部１５４に対応する。
本発明の変換部は、Ａ／Ｄ変換部１５１に対応する。
本発明の第２の抽出部は、デジタルフィルタ１５２に対応する。
本発明の第１の波高値は、波高値Ｐ１に対応し、本発明の第２の波高値は、波高値Ｐ２に対応する。
本発明の第１の閾値は、閾値Ｔｈ１に対応し、本発明の第２の閾値は、閾値Ｔｈ２に対応する。
【００７６】
Ａ／Ｄ変換部１５１は、フィルタ１４から周波数が６５９Ｈｚ±３０ＨｚのＡＭ／ＦＭ信号Ｓ１４が入力されると、このアナログ信号をデジタル信号に変換し、このデジタル信号Ｓ１５１をデジタルフィルタ１５２に出力する。
【００７７】
ところで、フィルタ１４は、基本的には、アナログフィルタである。このため、フィルタ１４によって抽出されたＡＭ／ＦＭ信号Ｓ１４は、フィルタ１４のアナログ特性やノイズの影響により、図５に図示するように、滑らかではない信号となる。
当然、デジタル信号Ｓ１５１も、ＡＭ／ＦＭ信号Ｓ１４と同様に、滑らかではない信号となり、後述する比較判定部１５４等での処理で誤判定を引き起こす可能性がある。
【００７８】
そこで、デジタル信号Ｓ１５１に含まれるノイズ等を除去し、信号を滑らかにするため、デジタルフィルタ１５２が設けられている。
デジタルフィルタ１５２は、デジタル信号Ｓ１５１から、フィルタ１４の抽出周波数と同じ周波数の信号をデジタル処理によって抽出し、これを抽出信号Ｓ１５２として取得部１５３に出力する。
本実施形態では、このデジタルフィルタ１５２の抽出周波数は６５９Ｈｚ±３０Ｈｚ成分である。
【００７９】
図７は、本発明の第１実施形態に係るデジタルフィルタの出力例を示す図である。図７には、デジタルフィルタ１５２によって抽出された第１〜第４のチャイム音ａ〜ｄが例示されている。
図７において、横軸は時間を示し、縦軸は信号レベルを示す。なお、符号「ａ」〜「ｄ」は、第１〜第４のチャイム音ａ〜ｄに対応する。
【００８０】
図７に図示するように、第１のチャイム音ａは、巨視的には、信号レベルが急激に立ち上がり、波高値Ｐａから単調に減衰する。第２〜第４のチャイム音ｂ〜ｄも同様である。
このように、デジタルフィルタ１５２によって抽出された抽出信号Ｓ１５２は、ノイズ等が除去され、フィルタ１４によって抽出されたＡＭ／ＦＭ信号Ｓ１４よりも滑らかな信号となる。
説明の便宜上、第２のチャイム音ｂの波高値をＰｂとする。波高値Ｐａと波高値Ｐｂとの時間幅をΔＴａｂとする
【００８１】
［判定基準］
第１のチャイム音ａを検出する際には、抽出信号Ｓ１５２の波形が判定基準を満たすか否かの判定が行われる。ここで、この判定基準を図８に関連づけて説明する。
【００８２】
図８は、本発明の第１実施形態に係る判定基準を説明するための図である。図８には、抽出信号Ｓ１５２の一例が実線で模式的に図示され、第１および第２のチャイム音ａ，ｂが破線で図示されている。
【００８３】
上述したように、第１のチャイム音ａは、巨視的には、波高値Ｐａから単調に減衰する。
したがって、抽出信号Ｓ１５２が第１のチャイム音ａであることを判定するためには、（ａ）抽出信号Ｓ１５２の波高値Ｐ１が閾値Ｔｈ１よりも大きく、（ｂ）波高値Ｐ１が取得された時間から所定時間Δｔｐ経過後の信号レベルが、閾値Ｔｈ２よりも小さければよい（第１の判定基準）。
この所定時間Δｔｐは、例えば、３７５ｍｓ（＝１５００ｍｓ／４）程度であって、抽出信号Ｓ１５２の減衰が明確となる時間である。
【００８４】
しかしながら、ＡＭ／ＦＭ受信回路１２の受信状態等によっては、十分な信号レベルを得ることができず、たとえ、チャイム音を受信したとしても、第１の判定基準だけでは、第１のチャイム音ａを検出することができない場合がある。
【００８５】
このため、本実施形態では、抽出信号Ｓ１５２における波高値Ｐ１と波高値Ｐ２との時間幅ΔＴと、第１および第２のチャイム音ａ、ｂにおける時間幅ΔＴａｂ（およそ１５００ｍｓ）とが同程度であるか否かの判定が行われる。
時間幅ΔＴは、波高値Ｐ１、Ｐ２を取得した時間から取得することができる。そして、（ｃ）時間幅ΔＴと時間幅ΔＴａｂとの差分の絶対値（｜ΔＴ−ΔＴａｂ｜）が許容値α以下（例えば、α＝１０ｍｓ）であればよい（第２の判定基準）。
このように、第１および第２の判定基準を設けることで、確実かつ容易にチャイム音を検出することができる。
【００８６】
取得部１５３は、デジタルフィルタ１５２から抽出信号Ｓ１５２が入力されると、この信号の信号レベル、波高値Ｐ１、Ｐ２を取得する。そして、取得部１５３は、波高値Ｐ１、Ｐ２を取得した時間から、２つの波高値間の時間幅ΔＴを取得する。
その後、取得部１５３は、波高値Ｐ１、Ｐ２、および時間幅ΔＴを取得結果Ｓ１５３として、比較判定部１５４に出力する。この他、取得部１５３は、波高値Ｐ１および波高値Ｐ２間の信号レベル等も比較判定部１５４に出力する。
【００８７】
比較判定部１５４は、取得部１５３から取得結果Ｓ１５３が入力されると、第１および第２の判定基準に基づいて、（ａ）波高値Ｐ１を閾値Ｔｈ１と比較し、（ｂ）波高値Ｐ１が取得された時間から所定時間Δｔｐ経過後の信号レベル（＝Ｌ）を閾値Ｔｈ２と比較し、（ｃ）時間幅ΔＴと時間幅ΔＴａｂとの差分の絶対値（＝｜ΔＴ−ΔＴａｂ｜）を許容値αと比較する。
【００８８】
比較判定部１５４は、（ａ）波高値Ｐ１が閾値Ｔｈ１以上であり（Ｐ１≧Ｔｈ１）、（ｂ）信号レベル（＝Ｌ）が閾値Ｔｈ２以下であり（Ｌ≦Ｔｈ２）、かつ、（ｃ）差分の絶対値（｜ΔＴ−ΔＴａｂ｜）が許容値α以下（｜ΔＴ−ΔＴａｂ｜≦α）である場合には、抽出信号Ｓ１５２、即ち、受信されたＡＭ／ＦＭ信号Ｓ１がチャイム音であると判定する。
【００８９】
抽出信号Ｓ１５２がチャイム音である場合、比較判定部１５４は、この旨の判定結果Ｓ１５４を検出信号出力部１５５に出力する。
一方、抽出信号Ｓ１５２がチャイム音でない場合、比較判定部１５４は、この旨の判定結果Ｓ１５４を検出信号出力部１５５に出力する。
【００９０】
検出信号出力部１５５は、比較判定部１５４から、抽出信号Ｓ１５２がチャイム音である旨の判定結果Ｓ１５４が入力された場合のみ、チャイム音を検出したことを示す検出信号Ｓ４を出力アンプ制御回路１７に出力する。
このとき、検出信号出力部１５５は、切替スイッチ１６の出力をＡＭ／ＦＭ信号Ｓ１に切り替えるための切替信号Ｓ１５５を切替スイッチ制御部１５６に出力する。
【００９１】
検出信号出力部１５５の処理後、出力アンプ１８が出力アンプ制御回路１７によって起動され、ＡＭ／ＦＭ信号Ｓ１が音声信号Ｓ８として、スピーカ１９を通じて出力される。
【００９２】
このように、第１のチャイム音ａが検出された段階で、音声信号Ｓ８が出力されるため、スピーカ１９からは、第２のチャイム音ｂの波高値Ｐ２以降の音声が出力される（図７参照）。
【００９３】
切替スイッチ制御部１５６は、検出信号出力部１５５から切替信号Ｓ１５５が入力された場合には、スイッチ制御信号Ｓ６を切替スイッチ１６に出力し、切替スイッチ１６の出力をＡＭ／ＦＭ信号Ｓ１に切り替える。
切替スイッチ制御部１５６は、スケルチモードにて、スケルチ回路１３１からスケルチ信号Ｓ３が入力された場合には、スイッチ制御信号Ｓ６を切替スイッチ１６に出力し、切替スイッチ１６の出力を防災無線信号Ｓ２に切り替える。
【００９４】
［防災受信機１０の動作］
待ち受けモードにおける検出処理を中心に、防災受信機１０の動作を図９に関連づけて説明する。
図９は、本発明の第１実施形態に係る防災受信機の動作例を示すフローチャートである。
【００９５】
以下の説明では、始め、防災受信機１０の電源がオフであるものとする。図９に図示するように、ＡＭ／ＦＭ受信回路１２は、通電状態にあるため、ＡＭ／ＦＭ放送を受信可能である。
ＡＭ／ＦＭ受信回路１２は、アンテナ１１から入力された高周波のＡＭ／ＦＭ信号を復調し、復調した低周波のＡＭ／ＦＭ信号Ｓ１をフィルタ１４と、切替スイッチ１６とに各々出力する（ステップＳＴ１）。
【００９６】
フィルタ１４は、ＡＭ／ＦＭ受信回路１２からＡＭ／ＦＭ信号Ｓ１が入力されると、この信号から周波数が６５９Ｈｚ±３０ＨｚのＡＭ／ＦＭ信号Ｓ１４を抽出し、これをＡ／Ｄ変換部１５１に出力する（ステップＳＴ２）。
【００９７】
そして、Ａ／Ｄ変換部１５１は、周波数が６５９Ｈｚ±３０ＨｚのＡＭ／ＦＭ信号Ｓ１４をデジタル信号に変換し、このデジタル信号Ｓ１５１をデジタルフィルタ１５２に出力する（ステップＳＴ３）。
【００９８】
そして、デジタルフィルタ１５２は、デジタル信号Ｓ１５１から、周波数が６５９Ｈｚ±３０Ｈｚの信号をデジタル処理によって抽出し、これを抽出信号Ｓ１５２として取得部１５３に出力する（ステップＳＴ４）。
【００９９】
そして、取得部１５３は、抽出信号Ｓ１５２の波高値Ｐ１、Ｐ２、および２つの波高値間の時間幅ΔＴを取得する。その後、取得部１５３は、波高値Ｐ１、Ｐ２、および時間幅ΔＴを取得結果Ｓ１５３として、比較判定部１５４に出力する（ステップＳＴ５）。
【０１００】
そして、比較判定部１５４は、波高値Ｐ１、Ｐ２、および時間幅ΔＴが第１および第２の判定基準を満たすか否かを判定する（ステップＳＴ６）。
【０１０１】
そして、抽出信号Ｓ１５２がチャイム音である場合（ステップＳＴ６のＹＥＳ）、比較判定部１５４は、この旨の判定結果Ｓ１５４を検出信号出力部１５５に出力する。
【０１０２】
そして、検出信号出力部１５５は、比較判定部１５４から、抽出信号Ｓ１５２がチャイム音である旨の判定結果Ｓ１５４が入力された場合のみ、チャイム音を検出したことを示す検出信号Ｓ４を出力アンプ制御回路１７に出力する。（ステップＳＴ７）。
【０１０３】
次に、出力アンプ制御回路１７は、この検出信号Ｓ４を受けて、出力アンプ１８を起動させるための起動信号Ｓ７を出力アンプ１８に出力する。
そして、出力アンプ１８は、起動すると、切替スイッチ１６から入力されたＡＭ／ＦＭ信号Ｓ１を増幅し、増幅した信号を音声信号Ｓ８としてスピーカ１９に出力する。
これにより、第２のチャイム音ｂの途中からの音声が、スピーカ１９を通じて出力される（ステップＳＴ８）。
【０１０４】
一方、抽出信号Ｓ１５２がチャイム音でない場合（ステップＳＴ６のＮＯ）、比較判定部１５４は、この旨の判定結果Ｓ１５４を検出信号出力部１５５に出力する。
この場合、検出信号出力部１５５は、検出信号Ｓ４を出力アンプ制御回路１７に出力せず、ステップＳＴ１の処理が再開される。
【０１０５】
以上、詳細に説明したように、防災受信機１０は、防災無線放送とＡＭ／ＦＭ放送とが受信可能で、電源がオフであっても、ＡＭ／ＦＭ放送による緊急地震速報を自動的に聴取可能にすることができる。
このため、防災受信機１０を全国で使用することができ、防災無線放送よる緊急地震速報よりも迅速にこれを聴取することができる。
【０１０６】
検出処理は、基本的には、フィルタ１４およびマイクロコンピュータ１５で実現することができる。したがって、ラジオや防災無線受信機等の一般的な受信機でも、多くの部品を共有して検出処理を実現することができ、低コスト化を図ることができる。
【０１０７】
特に、マイクロコンピュータは、受信回路にノイズ等の影響を与えやすいため、使用する個数を少しでも減らすことが望ましい。近年の市場に流通している一般的な受信機には、マイクロコンピュータが搭載されていることが多いため、これを共有することができ、受信性能を犠牲にすることがない。
無論、部品の共有化によって、回路設計が容易となり、筐体の小型化を図ることができる。
【０１０８】
（第２実施形態）
上述したように、第１実施形態に係る防災受信機では、電源がオフの場合に緊急地震速報が行われると、チャイム音の途中から、放送を聴取することができる。
たとえ、チャイム音を聴取できなくとも、緊急地震速報自体を聴取できれば、防災受信機は必要最低限の役割を果たす。
しかしながら、チャイム音は緊急地震速報の開始を報知するものであるから、チャイム音を第１のチャイム音ａの開始から聴取できる方が望ましい。
【０１０９】
そこで、第２実施形態では、チャイム音の開始から終了までを聴取可能な防災受信機を図１０に関連づけて説明する。以下、検出処理に関連する点についてのみ述べる。
【０１１０】
図１０は、本発明の第２実施形態に係る防災受信機の構成例を示すブロック図である。
【０１１１】
図１０に図示するように、防災受信機１０ａには、記憶部１１０が切替スイッチ１６と出力アンプ１８との間に挿入されている。
この記憶部１１０は、例えば、ＦＩＦＯ（First In-First Out）である。その他の構成は、図２に図示するものと同様である。
【０１１２】
ＡＭ／ＦＭ受信回路１２がアンテナ１１からＡＭ／ＦＭ受信を受信すると、マイクロコンピュータ１５は、フィルタ１４が抽出したＡＭ／ＦＭ信号Ｓ１４を基に、検出処理をリアルタイムで行う。
一方で、記憶部１１０は、切替スイッチ１６からＡＭ／ＦＭ信号Ｓ１が入力されると、マイクロコンピュータ１５から記憶部制御信号Ｓ９が入力されるまで、これを一旦格納する。即ち、記憶部１１０には、第１のチャイム音ａ、第２のチャイム音ｂ、…のように、全てのチャイム音が順次格納されていく。
【０１１３】
そして、マイクロコンピュータ１５は、第１のチャイム音ａを検出すると、検出信号Ｓ４を出力アンプ制御回路１７に出力すると共に、記憶部制御信号Ｓ９を記憶部１１０に出力する。
【０１１４】
これにより、防災受信機１０ａの電源がオフであっても、出力アンプ制御回路１７によって、出力アンプ１８が起動する。このとき、出力アンプ１８には、記憶部１１０からＡＭ／ＦＭ信号Ｓ１、即ち、第１のチャイム音ａ、第２のチャイム音ｂ、…が順次入力される。
その結果、第１のチャイム音ａの初めからの音声が、スピーカ１９を通じて出力される。
【０１１５】
第２実施形態によれば、第１実施形態で述べた効果に加え、チャイム音の開始から終了までを聴取することができる。
【０１１６】
（第３実施形態）
検出処理の際には、第１のチャイム音ａが検出され、検出の精度を高めるため、２つの判定基準が設けられている。
しかしながら、番組で、チャイム音に類似したメロディー等が流れた場合には、チャイム音の誤検出を引き起こす恐れがある。
【０１１７】
そこで、第３実施形態では、チャイム音の誤検出が発生した場合には、音声レベルが最低音声レベルに下げられる。
具体的には、マイクロコンピュータ１５は、第１のチャイム音ａおよび第２のチャイム音ｂの各々が、第１および第２の判定基準を満たすか否かを判定する。
例えば、第２のチャイム音ｂが２つの判定基準を満たさない場合には、マイクロコンピュータ１５は、出力アンプ１８から出力される音声レベルが最低となるように、出力アンプ制御回路１７に指示を出す。
【０１１８】
このとき、音声レベルが無音となるようにしてもよいし、電源がオフとなるようにしてもよい。
音声レベルを変化させる代わりに、例えば、「ただいまのチャイム音は誤報です。」のような音声メッセージを出力するようにしてもよい。
防災受信機１０に表示装置を設け、チャイム音を誤検出した旨を表示装置に表示させてもよい。
【０１１９】
第３実施形態によれば、第１および第２実施形態で述べた効果に加え、チャイム音の誤検出が発生した場合には、その旨が報知されるため、誤報知によるユーザの不安を軽減させることができる。
【０１２０】
本発明では、上述した第１〜第３実施形態を各々組み合わせることができる。
上述した第１〜第３実施形態では、報知音声としてＮＨＫのチャイム音を例に挙げたが、検出すべき報知音がチャイム音と異なっていても、その音が含む周波数の中から所定周波数を選択し、本発明を適用することができる。
日本以外の国において採用されている報知音に対しても、本発明を適用することができる。
【０１２１】
例えば、緊急津波速報では、例に挙げたチャイム音のように、略同一の報知音が一定周期で繰り返し鳴った後、緊急津波速報が流れる。本発明は、このような緊急津波警報等にも適用することができる。
また、全国瞬時警戒システムを用いた防災無線放送による緊急地震速報にも、本発明を適用することができる。
【符号の説明】
【０１２２】
１０、１０ａ…防災受信機、１１…アンテナ、１２…ＡＭ／ＦＭ受信回路、１３…防災無線受信回路、１４…フィルタ、１５…マイクロコンピュータ、１６…切替スイッチ、１７…出力アンプ制御回路、１８…出力アンプ、１９…スピーカ、１１０…記憶部、１３１…スケルチ回路、１５１…Ａ／Ｄ変換部、１５２…デジタルフィルタ、１５３…取得部、１５４…比較判定部、１５５…検出信号出力部、１５６…切替スイッチ制御部、２１…家庭、２２…ラジオ放送局、２３…親局、２４…屋外拡声受信装置
【図１】
2010263315.tif 000003
【図２】
2010263315.tif 000004
【図３】
2010263315.tif 000005
【図４】
2010263315.tif 000006
【図５】
2010263315.tif 000007
【図６】
2010263315.tif 000008
【図７】
2010263315.tif 000009
【図８】
2010263315.tif 000010
【図９】
2010263315.tif 000011
【図１０】
2010263315.tif 000012